(57)【特許請求の範囲】
【請求項１】
画像読取装置であって、
原稿積載部に載置された原稿を検知する原稿検知手段と、
前記原稿積載部に載置された原稿を搬送する搬送手段と、
前記搬送手段によって搬送された原稿を読み取る読取手段と、
前記搬送手段によって搬送された原稿の重送を検知する重送検知手段と、
前記原稿検知手段により原稿が検知された場合に原稿の重送の検知に応じた対処を行う設定に切り替えるか否かを示す設定値を記憶する記憶手段と、
前記重送検知手段が原稿の重送を検知する設定を有効にするか否かの設定を受け付ける受付手段と、
前記記憶された設定値が原稿の重送の検知に応じた対処を行う設定に切り替えることを示し、かつ、前記受付手段により受け付けた設定が無効であった場合に、前記原稿検知手段が前記原稿積載部に原稿が積載されたことを検知したことに従って、重送を検知する設定を有効にし、該重送を検知する設定が有効になっていることを示す表示を行う表示手段を有することを特徴とする画像読取装置。
【請求項２】
前記重送検知手段が原稿の重送を検知する重送検知機能を有効にする設定がされている場合に、前記原稿検知手段が前記原稿積載部に原稿が積載されたことを検知したことに従って、前記重送検知機能が有効になっていることを示す表示を行うことを特徴とする請求項１に記載の画像読取装置。
【請求項３】
前記重送検知手段が原稿の重送を検知する重送検知機能を有効にする設定がされている場合に、前記搬送手段は、前記重送検知手段が原稿の重送を検知したことに従って前記原稿の搬送を中断することを特徴とする請求項１または２に記載の画像読取装置。
【請求項４】
前記表示手段は、前記重送検知手段が原稿の重送を検知したことに従って原稿の重送に起因するジャムを取り除くよう促す画面を表示することを特徴とする請求項３に記載の画像読取装置。
【請求項５】
前記読取手段によって読み取られた原稿の画像を印刷する印刷手段をさらに有することを特徴とする請求項１乃至４の何れか１項に記載の画像読取装置。
【請求項６】
前記読取手段によって読み取られた原稿の画像を外部装置に送信する送信手段をさらに有することを特徴とする請求項１乃至５の何れか１項に記載の画像読取装置。
【請求項７】
画像読取装置の制御方法であって、
原稿検知手段が、原稿積載部に載置された原稿を検知する原稿検知工程と、
搬送手段が、前記原稿積載部に載置された原稿を搬送する搬送工程と、
読取手段が、前記搬送手段によって搬送された原稿を読み取る読取工程と、
重送検知手段が、前記搬送手段によって搬送された原稿の重送を検知する重送検知工程と、
記憶手段が、前記原稿検知手段により原稿が検知された場合に原稿の重送の検知に応じた対処を行う設定に切り替えるか否かを示す設定値を記憶する記憶工程と、
受付手段が、前記重送検知手段が原稿の重送を検知する設定を有効にするか否かの設定を受け付ける受付工程と、
表示手段が、前記記憶された設定値が原稿の重送の検知に応じた対処を行う設定に切り替えることを示し、かつ、前記受付手段により受け付けた設定が無効であった場合に、前記原稿検知手段が前記原稿積載部に原稿が積載されたことを検知したことに従って、重送を検知する設定を有効にし、該重送を検知する設定が有効になっていることを示す表示を行う表示工程と
を含むことを特徴とする画像読取装置の制御方法。
【請求項８】
請求項７に記載の画像読取装置の制御方法における各工程をコンピュータに実行させるためのプログラム。
【発明の詳細な説明】
【技術分野】
【０００１】
本発明は、原稿の重送を検知する画像読取装置、その制御方法、及びプログラムに関するものである。
【背景技術】
【０００２】
原稿の画像を読み取るために自動原稿搬送装置（ＡＤＦ：Ａｕｔｏ  Ｄｏｃｕｍｅｎｔ  Ｆｅｅｄｅｒ）から原稿を搬送し、搬送された原稿に重送が発生したことを超音波センサ等の重送検知センサによって検知する原稿読取装置がある。特許文献１には、原稿の重送を検知すると原稿の読取動作を停止するか否かを設定し、重送を検知した際に原稿の読取動作を停止するか、原稿の読取動作を停止せずに継続するかを制御する原稿読取装置が提案されている。
【先行技術文献】
【特許文献】
【０００３】
【特許文献１】特開２０１５−１０６８１７号公報
【発明の概要】
【発明が解決しようとする課題】
【０００４】
しかしながら、上記従来技術には以下に記載する課題がある。原稿の重送の検知を希望するユーザは、ＡＤＦに原稿を載置した場合、重送を検知した際に原稿の読取動作を停止する機能を自動的に有効に設定したい。しかし、封筒など、重送を検知しても読み取り動作を停止しなくてよい原稿を読み取らせるジョブを実行する場合には、そのジョブの読み取り動作については一時的に重送検知機能を無効にすることが要望される。
【０００５】
本発明は、上述の問題に鑑みて成されたものであり、積載部に積載された原稿を検知し、重送検知の設定を有効又は無効に好適に切り替える仕組みを提供することを目的とする。
【課題を解決するための手段】
【０００６】
本発明は、画像読取装置であって、原稿積載部に載置された原稿を検知する原稿検知手段と、前記原稿積載部に載置された原稿を搬送する搬送手段と、前記搬送手段によって搬送された原稿を読み取る読取手段と、前記搬送手段によって搬送された原稿の重送を検知する重送検知手段と、前記原稿検知手段により原稿が検知された場合に原稿の重送の検知に応じた対処を行う設定に切り替えるか否かを示す設定値を記憶する記憶手段と、前記重送検知手段が原稿の重送を検知する設定を有効にするか否かの設定を受け付ける受付手段と、前記記憶された設定値が原稿の重送の検知に応じた対処を行う設定に切り替えることを示し、かつ、前記受付手段により受け付けた設定が無効であった場合に、前記原稿検知手段が前記原稿積載部に原稿が積載されたことを検知したことに従って、重送を検知する設定を有効にし、該重送を検知する設定が有効になっていることを示す表示を行う表示手段を有することを特徴とする。
【発明の効果】
【０００７】
本発明によれば、積載部に積載された原稿を検知し、重送検知の設定を有効又は無効に好適に切り替えることができる。
【図面の簡単な説明】
【０００８】
【図１】画像読取システムを示すブロック図。
【図２】読取部の制御に関わる構成を示すブロック図。
【図３】読取部の断面図。
【図４】操作部を示す外観図。
【図５】パネル４０１に表示される操作画面を示す図。
【図６】パネル４０１に表示される操作画面を示す図。
【図７】パネル４０１に表示される操作画面を示す図。
【図８】パネル４０１に表示される操作画面を示す図。
【図９】コピーの実行を制御する制御方法を示すフローチャート。
【図１０】コピーの実行を制御する制御方法を示すフローチャート。
【図１１】コピーの実行を制御する制御方法を示すフローチャート。
【発明を実施するための形態】
【０００９】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１０】
＜第１の実施形態＞
以下では、本発明の第１の実施形態について説明する。本実施形態では、ＡＤＦに載置された読取対象原稿を読み取る（以降、スキャンと称する。）ジョブを実行する。ここで、当該ジョブを実行する前に、ジョブの設定として重送検知機能を有効にするか無効にするかを設定可能とする。このとき、ＡＤＦに原稿が載置されたことに連動して重送検知機能を有効にするか否かを設定可能とする。そして、当該ジョブの実行中に、重送検知機能の設定と、重送検知センサによって読取対象の原稿の重送を検知したことに従って、スキャンを中断するか継続するかの動作を切り替える。
【００１１】
＜画像読取装置の構成＞
まず、図１を参照して、本実施形態に係る画像読取装置の構成について説明する。本実施形態では画像読取装置の一例としてＭＦＰ（Ｍｕｌｔｉ  Ｆｕｎｃｔｉｏｎ  Ｐｅｒｉｐｈｅｒａｌ）１０１を説明する。
【００１２】
ＭＦＰ１０１は、シート上の画像を読み取る読取機能と、シートに画像を印刷する印刷機能とを有する。また、他にもＭＦＰ１０１は、ネットワーク１００を介して情報処理装置に画像データを送信するファイル送信機能やＭＦＰ１０１内部の保存領域に画像データを保存するファイル保存機能などを有している。
【００１３】
なお、本実施形態では画像読取装置の一例としてＭＦＰ１０１を説明するが、これに限定されるものではない。原稿の画像を読み取るために原稿を搬送する構成の画像読取装置であれば本実施形態を適用することができる。具体的な例で説明すると、原稿から画像データを生成し、生成した画像データを外部サーバなどの情報処理装置へ送信するスキャナなどであってもよい。また、画像読取装置は、ＵＳＢなどの外部バスを介して画像読取装置に着脱可能な外部メモリ（例えば、ＵＳＢフラッシュドライブ）に保存するスキャナなどであってもよい。本実施形態では、一例として画像読取装置が以下に説明する各種構成要件を備えるものとする。
【００１４】
ＭＦＰ１０１は、制御部１１０、操作部１１６、読取部１１８、及び印刷部１２０を備える。また、制御部１１０は、ＣＰＵ１１１、ＲＯＭ１１２、ＲＡＭ１１３、ストレージ１１４、操作部Ｉ／Ｆ１１５、読取部Ｉ／Ｆ１１７、印刷部Ｉ／Ｆ１１９、及び通信部Ｉ／Ｆ１２３を備える。
【００１５】
ＣＰＵ１１１を含む制御部１１０は、ＭＦＰ１０１全体の動作を統括的に制御する。ＣＰＵ１１１は、ＲＯＭ１１２又はストレージ１１４に記憶された制御プログラムを読み出して、読取制御や印刷制御などの各種制御を行う。ＲＯＭ１１２は、ＣＰＵ１１１で実行可能な制御プログラムを格納する。ＲＡＭ１１３は、ＣＰＵ１１１の主記憶メモリであり、ワークエリア、ＲＯＭ１１２及びストレージ１１４に格納された各種制御プログラムを展開するための一時記憶領域として用いられる。ストレージ１１４は、印刷データ、画像データ、各種プログラム、及び各種設定情報を記憶する。本実施形態ではストレージ１１４としてＨＤＤ等の補助記憶装置を想定しているが、ＨＤＤの代わりにＳＳＤ等の不揮発性メモリを用いるようにしてもよい。
【００１６】
なお、本実施形態のＭＦＰ１０１では、１つのＣＰＵ１１１が１つのメモリ（ＲＡＭ１１３）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
【００１７】
操作部Ｉ／Ｆ１１５は、操作部１１６と制御部１１０とを接続する。図４は、操作部１１６の外観を示す。操作部１１６は、操作画面を表示するパネル４０１及びハードキー入力部４０２からなる。パネル４０１は例えばタッチパネルディスプレイである。ハードキー入力部４０２は、スタートキー４１２や設定／登録キー４１３などの各種のハードキーを備える。ユーザはパネル４０１に表示されているキーをタッチする、又はハードキー入力部４０２の各種ハードキーを押下して指示を入力する。なお、パネル４０１は、タッチパネル機能を有さないディスプレイであってもよい。この場合、タッチ操作によるキー入力に代えて、ディスプレイに表示されるキーを選択するためのスクロールキー及び当該キーを決定するための決定キーをハードキー入力部として備えればよい。操作部１１６は、パネル４０１及びハードキー入力部４０２を介したユーザからの指示を受け付ける受付部として機能し、又、必要に応じてパネル４０１に操作画面を表示する表示部として機能する。
【００１８】
読取部Ｉ／Ｆ１１７は、読取部１１８と制御部１１０とを接続する。読取部１１８はシート（原稿）上の画像を読み取って、画像データを生成する。読取部１１８によって生成された画像データはネットワーク１００を介してＰＣ１０２に送信されたり、シート上に印刷されたりする。読取部１１８の具体的な構成については図２及び図３を用いて後述する。
【００１９】
印刷部Ｉ／Ｆ１１９は、印刷部１２０と制御部１１０とを接続する。印刷すべき画像データは印刷部Ｉ／Ｆ１１９を介して制御部１１０から印刷部１２０に転送される。印刷部１２０は制御部１１０を介して制御コマンド及び印刷すべき画像データを受信し、当該画像データに基づいた画像をシート上に印刷する。印刷部１２０の印刷方式は、電子写真方式であってもよいし、インクジェット方式であってもよい。画像をシートに印刷することができる方法であれば、その他の方法（例えば、熱転写方式等）であってもよい。
【００２０】
また、制御部１１０は、通信部Ｉ／Ｆ１２３を介してネットワーク１００に接続される。通信部Ｉ／Ｆ１２３は、ネットワーク１００上のＰＣ１０２に画像データや情報を送信したり、ネットワーク１００上のＰＣ１０２から印刷データや情報を受信したりする。
【００２１】
ＰＣ１０２は、アプリケーションプログラム等の各種のプログラムを実行することができる。また、ＰＣ１０２には、ＰＣ１０２からＭＦＰ１０１の読取機能を利用するためのスキャナドライバや、スキャンした画像を加工、整理するためのスキャンアプリケーションがインストールされている。ＰＣ１０２からＭＦＰ１０１に対してスキャン指示を出すことで、ＭＦＰ１０１が備える読取機能を利用することができる。
【００２２】
＜読取部の構成＞
次に、ＭＦＰ１０１に含まれる読取部１１８のハードウェア構成について図２及び図３を用いて説明する。図２は、読取部１１８の制御に関わる構成を示す。ＣＰＵ１３１は、読取部１１８の動作を制御する。ＣＰＵ１３１は、ＲＯＭ１３２に記憶された制御プログラムを読み出して、読取制御や制御部１１０とのやりとりなどの各種制御を行う。ＲＯＭ１３２は、ＣＰＵ１３１で実行可能な制御プログラムを格納する。ＲＡＭ１３３は、ＣＰＵ１３１の主記憶メモリであり、ワークエリアや、ＲＯＭ１３２に格納された各種制御プログラムを展開するための一時記憶領域として用いられる。なお、ＣＰＵ１３１、ＲＯＭ１３２及び、ＲＡＭ１３３は、同機能を一つの集積回路に組み込んだマイクロコントローラで実現されてもよい。
【００２３】
読取部１１８は、更に、画像処理部１４２、ＣＣＤ（Ｃｈａｒｇｅ  Ｃｏｕｐｌｅｄ  Ｄｅｖｉｃｅ）センサ１４４、原稿検知センサ１４５、モータ制御部１４７、モータ１４８、重送検知センサ１４９、及びその他の搬送センサ１４６を備える。また、読取部１１８は、読取部Ｉ／Ｆ１１７を介して制御部１１０に接続されている。
【００２４】
原稿検知センサ１４５は、読取部１１８の後述する原稿積載部（原稿給紙トレイ）２０２上に原稿２０３が積載されていることを検知する。なお、原稿検知センサ１４５による検知信号は、読取部Ｉ／Ｆ１１７を介して、ＣＰＵ１１１に伝達される。
【００２５】
モータ１４８は、読取部１１８の後述する原稿給送ローラ２０４、搬送ローラ２０６、大ローラ２０８、ローラ２０９、ローラ２１０、ローラ２１１、及び原稿排出ローラ対２０７の回転を行うために駆動される。また、モータ１４８は、読取部１１８の後述する露光部２１３、及びミラーユニット２１４の移動を行うために駆動される。なお、本実施形態では、ＣＰＵ１１１がモータ制御部１４７を制御することで、モータ１４８の駆動を制御するようにしているが、これに限定されるものではない。読取部１１８のＣＰＵ１３１がモータ制御部１４７を制御することで、モータ１４８の駆動を制御するようにしてもよい。
【００２６】
重送検知センサ１４９は、原稿の搬送中に重送が発生したことを検知する。なお、重送検知センサ１４９による検知信号は、読取部Ｉ／Ｆ１１７を介して、ＣＰＵ１１１に伝達される。重送検知センサ１４９の詳細については、図３を用いて後述する。搬送センサ１４６は、原稿の搬送経路の要所ごとに設けられた複数のセンサであり、ジャムの発生や原稿の有無を検知する。ＣＣＤセンサ１４４で読み取られたデータは、Ａ／Ｄ変換部によってアナログ信号からデジタル信号に変換される。その後、デジタル信号は画像処理部１４２によって画像データに変換され、読取部Ｉ／Ｆ１１７を介して、ＲＡＭ１１３に一時的に格納される。そして、ＣＰＵ１１１の制御により、画像データはストレージ１１４に保存される。
【００２７】
続いて、図３を参照して、読取部１１８においてＡＤＦによって原稿２０３の画像の読み取り動作を行う場合について説明する。原稿検知センサ１４５によって積載部２０２上に原稿２０３が積載されていることが検知されている場合に、スキャンの実行指示をユーザから受け付けたことに従って、スキャンが開始される。
【００２８】
積載部２０２上に積載された原稿２０３は、対になっている原稿給送ローラ２０４と分離パッド２０５によって、１枚ずつ搬送される。そして、１枚ずつ搬送された原稿２０３は、重送検知センサ１４９を通過する。重送検知センサ１４９は、搬送された原稿２０３に重送が発生したことを検知する。ここで、重送とは、原稿を搬送した際に、２枚以上の原稿の少なくとも一部が重なった状態で搬送される状態のことである。例えば、超音波を利用した重送検知センサ１４９では、上部センサから超音波を発信し、その変化を下部センサが感知することによって重送を検知する。そして、１枚の原稿２０３が搬送されたときの受信強度を基準にして、実際に検出された信号がこの基準値よりも受信強度が低いときに重送として判断する。
【００２９】
なお、本実施形態では、超音波を利用したセンサを重送検知センサ１４９の例として説明する。しかし、重送を検知可能であるならば光学センサを利用してもよい。或いは、原稿２０３の厚みを測定し、その測定データを基準にして、搬送された原稿２０３に重送が発生しているかどうかを判断してもよい。
【００３０】
重送検知センサ１４９を通過した原稿２０３は、搬送ローラ２０６で装置内に送られる。搬送ローラ２０６により搬送された原稿２０３は、搬送センサ１４６の一つである原稿通過検知センサ１５０によって検出される。そして、検出時間に基づいて１枚目の原稿２０３の通過が終了したか否かが判定される。搬送ローラ２０６で装置内に送られた原稿２０３は、大ローラ２０８とローラ２０９によって搬送され、更に、大ローラ２０８とローラ２１０によって搬送される。そして、原稿ガラス２１２に接触する形で原稿ガイド板２１７との間を通って搬送された原稿２０３は、ジャンプ台２１８を経由した後、大ローラ２０８とローラ２１１によって更に搬送されて、原稿排出ローラ対２０７により排出トレイ２２２に排出される。なお、ＣＰＵ１１１は、各ローラをモータ１４８による駆動によってそれぞれ回転させ、原稿２０３を搬送するものとする。また、搬送センサ１４６の一つである排出センサ１５１は、排出トレイ２２２に原稿が排出されることを検出する。
【００３１】
原稿２０３が原稿ガラス２１２上を通過する際に、原稿ガラス２１２に接している面が露光部２１３によって露光されて、原稿２０３の画像が主走査方向及び副走査方向に対して読み取られる。結果として得られる原稿２０３からの反射光が複数のミラーを介して、ミラーユニット２１４に伝達される。そして、伝達された反射光はレンズ２１５を通過し、集光されて、ＣＣＤセンサ１４４によって電気信号のデータに変換される。ＣＣＤセンサ１４４から出力されるデータは、前述した画像処理部１４２により画像データに変換され、制御部１１０へ転送される。
【００３２】
なお、本実施形態では、読取部１１８が備える光学系は、原稿２０３からの反射光をＣＣＤセンサ１４４上に結像する縮小光学系である場合について説明したが、これに限らない。読取部１１８が備える光学系は、原稿２０３からの反射光をＣＩＳ（Ｃｏｎｔａｃｔ  Ｉｍａｇｅ  Ｓｅｎｓｏｒ）上に結像する等倍光学系であってもよい。なお、読取部１１８によって実行される原稿２０３の画像の読み取り動作は、光学系の位置を固定し、ＡＤＦによって原稿２０３を搬送させながら、原稿２０３の画像を読み取る場合について説明したが、これに限らない。原稿２２０をプラテンガラス２２１（原稿台）に載置し、原稿２２０の位置を固定させ、モータ１４８の駆動により光学系を移動させることによって原稿２２０の画像を読み取ることもできる。
【００３３】
カバー２５０は、ＡＤＦの搬送経路の一部分を覆うカバーである。また、カバー２５０は、支点軸２５１を中心として回動し、開閉可能に構成されている。ユーザは、カバー２５０を開いて、搬送経路に詰まっている原稿や搬送経路で停止した状態の原稿を取り除くジャム処理などの作業を行うことができる。なお、カバー２５０が開いた状態であるか、閉じた状態であるかを検出する開閉センサを備えてもよい。
【００３４】
＜重送検知設定＞
次に、図５を参照して、ジョブの設定として、重送検知機能を有効にするか無効にするかを設定する具体的な制御について、ＭＦＰ１０１が備えるコピー機能を例示して説明する。
【００３５】
まず、コピーの設定について説明する。図５は、パネル４０１に表示されるコピー画面の遷移例を示す。５０１は、メインメニュー画面の一例を示す。５０３は、コピー設定画面の一例を示す。また、５０５は、コピー設定画面の他の例を示す。
【００３６】
ＭＦＰ１０１に電源を投入してＭＦＰ１０１を起動すると、ＣＰＵ１１１は、初期画面であるメインメニュー画面５０１をパネル４０１に表示する。ＭＦＰ１０１のユーザは、パネル４０１に表示されるメインメニュー画面５０１から、コピー機能を選択することができる。メインメニュー画面５０１にはＭＦＰ１０１が備える各種機能（例えば、ファイル保存機能、ファイル送信機能など）を起動するためのボタン（アイコン）が選択可能に表示されているものとする。ＣＰＵ１１１は、メインメニュー画面５０１が表示された状態で、コピー機能ボタン５０２がユーザによって押下されたことに従って、コピー設定画面５０３を表示する。
【００３７】
ユーザは、コピー設定画面５０３を介して様々なコピー設定を行うことができる。例えば、ユーザは部数の設定や、両面印刷の設定などの設定を行うことができる。なお、コピージョブの設定は、ここに例示していない多数の設定項目がある。そのため同一画面内で全ての設定を行うことは困難である。従って設定項目ごとに個別の設定画面に遷移して、複数の機能の設定を行うものとする。
【００３８】
コピー設定画面５０３に設けられた重送検知キー５０４は、重送検知機能を有効にするか無効にするかを選択するための仮想的なキーである。ユーザは、重送検知キー５０４を用いて、ジョブの設定として、重送の発生を検知するか否かの設定を変えることができる。図５のコピー設定画面５０３では重送の発生を検知しない設定が行われている場合を例示している。本実施形態に係る「重送の発生を検知しない設定」がされていると、重送検知センサ１４９によって重送を検知しても、原稿の搬送は停止されない。そのため、「重送の発生を検知しない設定」は、重送検知センサ１４９によって重送を検知しても、原稿の搬送を停めない設定ということもできる。
【００３９】
ＣＰＵ１１１は、コピー設定画面５０３が表示された状態で、重送検知キー５０４がユーザによって押下されたことに従って、コピー設定画面５０５を表示する。コピー設定画面５０５では重送の発生を検知する設定が行われている場合を例示している。本実施形態に係る「重送の発生を検知する設定」がされていると、重送検知センサ１４９によって重送を検知したことに従って、原稿の搬送が停止される。そのため、「重送の発生を検知する設定」は、重送検知センサ１４９によって重送を検知したことに従って原稿の搬送を停止する設定ということもできる。また、本実施形態のＣＰＵ１１１は、重送検知キー５０６に示すように、重送検知キー５０４と異なる色の表示を行うよう制御することで、重送の発生を検知する設定が行われている旨をユーザに通知している。ここでは、異なる色の表示を行う例について説明したが、本発明はこれに限られない。例えば、重送検知キー５０６の形を重送検知キー５０４の形とは異なる形で表示してもよいし、重送検知キー５０４を点滅させないよう表示し、重送検知キー５０６を点滅させるよう表示してもよい。
【００４０】
＜原稿検知設定＞
次に、図６を参照して、原稿を検知したことに従って重送の発生を検知しない設定から重送の発生を検知する設定に切り替えるか否かを、機器の設定として登録する場合の具体的な制御について説明する。図６は、パネル４０１に表示される設定／登録画面の遷移例を示す。６０１は、設定／登録メニュー画面の一例を示す。６０４は、設定変更画面の一例を示す。また、６０７は、設定変更画面の他の例を示す。６１０は、設定／登録メニュー画面の他の例を示す。
【００４１】
ＣＰＵ１１１は、ハードキー入力部４０２の設定／登録キー４１３がユーザによって押下されたことに従って、設定／登録メニュー画面６０１をパネル４０１に表示する。設定／登録メニュー画面６０１には、原稿を検知した場合に、コピー設定画面５０３に示す重送検知キー５０４をコピー設定画面５０５に示す重送検知キー５０６に切り替える設定が行われていないことを示す値「ＯＦＦ」が情報６０２に表示されている。また、フィーダー重送検知のデフォルト設定メニュー６０３は、設定変更画面に遷移するためのメニューである。
【００４２】
フィーダー重送検知のデフォルト設定メニュー６０３が押下されたことをＣＰＵ１１１が検出すると、ＣＰＵ１１１は、設定変更画面６０４をパネル４０１に表示する。設定変更画面６０４には、ＯＦＦキー６０５とＯＮキー６０６が表示されており、ＯＦＦキー６０５を反転表示することで、原稿を検知したことに従って重送の発生を検知しない設定から重送の発生を検知する設定に切り替えないことを例示している。つまり、フィーダー重送検知の現在のデフォルト設定はＯＦＦであることを示している。
【００４３】
ＣＰＵ１１１は、設定変更画面６０４が表示された状態で、ＯＮキー６０６がユーザによって押下されたことに従って、設定変更画面６０７をパネル４０１に表示する。設定変更画面６０７には、ＯＮキー６０８を反転表示することで、原稿を検知したことに従って重送の発生を検知しない設定から重送の発生を検知する設定に切り替えることを示している。
【００４４】
ＣＰＵ１１１は、設定変更画面６０７が表示された状態で、ＯＫキー６０９がユーザによって押下されたこと（ユーザ入力）に従って、設定／登録メニュー画面６１０をパネル４０１に表示する。ここで、ＣＰＵ１１１は、原稿を検知した場合に、重送が発生すると当該重送に対処しない設定から、重送の発生を検知して対処する設定に切り替えるか否かを表すためのフラグ（以降、原稿検知設定フラグと呼ぶ）の値を「ＴＲＵＥ」（有効）に設定する。なお、原稿検知設定フラグの値はＲＡＭ１１３に一時的に記憶される。なお、原稿検知設定フラグが「ＴＲＵＥ」の場合は、原稿を検知した場合に、コピー設定画面５０３に示す重送検知キー５０４をコピー設定画面５０５に示す重送検知キー５０６に切り替えることを表す。この設定の場合は、重送が検知されると当該重送を解消するべくエラー処理等が行われることとなる。本実施形態では、エラー処理として、原稿の搬送を停止する例を説明する。しかしながら、エラー処理は、原稿の搬送は続けつつ、原稿の読み取りを停止する処理であってもよい。一方、原稿検知設定フラグが「ＦＡＬＳＥ」（無効）の場合は、原稿を検知した場合に、コピー設定画面５０３に示す重送検知キー５０４をコピー設定画面５０５に示す重送検知キー５０６に切り替えないことを表す。この設定の場合は、重送が検知されても何の対処も行わず、当該原稿の搬送を継続することとなる。設定／登録メニュー画面６１０には、原稿を検知した場合に、コピー設定画面５０３に示す重送検知キー５０４をコピー設定画面５０５に示す重送検知キー５０６に切り替える設定が行われていることを示す値「ＯＮ」が情報６１１に表示されている。
【００４５】
次に、図７を参照して、原稿検知設定フラグが「ＴＲＵＥ」の場合の具体的な制御について、ＭＦＰ１０１が備えるコピー機能を例示して説明する。図７は、パネル４０１に表示されるコピー画面の遷移例を示す。
【００４６】
ＣＰＵ１１１は、積載部２０２上に原稿２０３が積載されていない状態で、メインメニュー画面５０１に示すコピー機能ボタン５０２がユーザによって押下されたことに従って、コピー設定画面７０１をパネル４０１に表示する。ＣＰＵ１１１は、コピー設定画面７０１が表示された状態で、積載部２０２上に原稿２０３がユーザによって積載されたことに従って、コピー設定画面７０３をパネル４０１に表示する。コピー設定画面７０３では、重送検知キー７０４に示すように、重送の発生を検知する設定が行われている場合を例示している。重送検知キー７０４は、重送検知キー７０２とは異なる色で表示されている。ここでは、異なる色で表示する例について説明したが、本発明はこれに限られない。例えば、重送検知キー７０４の形を重送検知キー７０２の形とは異なる形で表示してもよいし、重送検知キー７０２を点滅させないよう表示し、重送検知キー７０４を点滅させるよう表示してもよい。
【００４７】
ＣＰＵ１１１は、コピー設定画面７０３が表示された状態で、積載部２０２上から原稿２０３がユーザによって除去されたことに従って、コピー設定画面７０５をパネル４０１に表示する。コピー設定画面７０５では、重送検知キー７０６に示すように、重送の発生を検知する設定が行われていない場合を例示している。
【００４８】
＜重送検知時の処理＞
ＭＦＰ１０１の読取部１１８で原稿を読み取る場合に、重送が発生すると、複数枚重なった原稿が搬送路を流れるため、途中で原稿ジャムが発生する可能性が高い。また、無事に原稿が搬送路を抜けたとしても、２枚重なった状態で画像データが読まれるため、原稿の一部が欠損した画像データが生成されることになる。そこで、本実施形態では、ジョブの設定として、重送検知機能を有効にする設定が行われ、且つ、重送が発生した場合に、一旦原稿の搬送を止め、重送が検知されたことをユーザに通知する制御を行う。
【００４９】
図８を参照して、ユーザが重送の通知を受けて、ＡＤＦに原稿を置き直して原稿の再読み取りを完了するまでの具体的な制御について、ＭＦＰ１０１が備えるコピー機能を例示して説明する。図８は、読取部１１８の重送検知センサ１４９で重送の発生が検知された場合にパネル４０１に表示される画面の遷移例を示す。
【００５０】
８０１は、コピー設定画面の一例を示す。８０３は、コピー実行画面の一例を示す。８０４は、重送の発生をユーザに通知するための情報を表示するガイド画面の一例を示す。８０６は、原稿の再読み取りを待機する画面の一例を示す。８０９は、コピー実行画面の他の例を示す。８１０は、コピー設定画面の他の例を示す。
【００５１】
コピー設定画面８０１では、重送検知キー８０２に示すように、重送の発生を検知する設定が行われている場合を例示している。コピー設定画面８０１が表示された状態で、スタートキー４１２が押下されたことをＣＰＵ１１１が検出すると、ＣＰＵ１１１は、コピー処理を開始する。ＣＰＵ１１１は、読取部１１８による原稿の読取動作を開始すると共に、コピー設定画面８０３をパネル４０１に表示する。
【００５２】
ＣＰＵ１１１は、コピー機能で原稿が読み取られている際に重送検知センサ１４９で重送の発生を検知すると、原稿の搬送を中断する。なお、原稿の搬送を中断する代わりに、ＣＰＵ１１１は、原稿の搬送は続けつつ、原稿の読み取りを中断するよう制御してもよい。また、ＣＰＵ１１１は、ガイド画面８０４をパネル４０１に表示する。情報８０５は、紙を取り除く必要があることと、重送の発生によりスキャンを中断したことをユーザに通知するための情報である。
【００５３】
その後、ＣＰＵ１１１は、搬送センサ１４６及び開閉センサなどに基づいて、エラー解除できる状態であると判断すると、再読取待機画面８０６をパネル４０１に表示する。再読取待機画面８０６の情報８０７は、原稿を再セットしてスタートキー４１２を押下することで、処理を再開できることをユーザに通知する情報である。ユーザはスタートキー４１２を押下して、原稿の読み取りを再開することができる。スタートキー４１２が押下されたことをＣＰＵ１１１が検出すると、ＣＰＵ１１１は、コピー実行画面８０９をパネル４０１に表示する。
【００５４】
また、再読取待機画面８０６の中止キー８０８は、実行中のコピー機能を中止する際に使用するキーである。ユーザは中止キー８０８を押下することで、これまで読み取った原稿を破棄して、実行中の処理を中止することができる。中止キー８０８が押下されたことをＣＰＵ１１１が検出すると、ＣＰＵ１１１は、コピー設定画面８１０をパネル４０１に表示する。
【００５５】
また、ＣＰＵ１１１は、コピー処理の終了を検知すると、コピー設定画面８１０をパネル４０１に表示する。コピー設定画面８１０では、重送検知キー８１１に示すように、再読取待機画面８０６において、図中の「重送検知しない」がチェックされた状態でスタートキー４１２や中止キー８０８が押下された際の、重送の発生を検知する設定が行われていない場合を例示している。
【００５６】
＜処理手順＞
次に、コピー機能を例として、コピージョブの実行指示を受け付けて、受け付けたコピージョブを実行するための具体的な制御方法について、図９乃至図１１に示したフローチャートを用いて説明する。図９乃至図１１に示すフローチャートの各動作（ステップ）は、ＣＰＵ１１１がＲＯＭ１１２又はストレージ１１４に記憶された制御プログラムをＲＡＭ１１３に読み出し、実行することにより実現される。なお、各動作を実現する制御プログラムの一部は、別のＣＰＵ（例えば、読取部１１８のＣＰＵ１３１など）などで実行され、制御プログラム同士が協働することで実現されてもよい。
【００５７】
まず、図９に示すＳ１０００で、ＣＰＵ１１１は、重送検知設定の切替に係る一連の処理を実行する。ここで、Ｓ１０００の処理の詳細について図１０を参照して説明する。
【００５８】
Ｓ１００１で、ＣＰＵ１１１は、原稿検知センサ１４５で原稿の積載を検知したか否かを判定する。ＣＰＵ１１１は、原稿の積載を検知したと判定した場合（Ｓ１００１でＹＥＳ）、Ｓ１００２に処理を進める。一方、ＣＰＵ１１１は、Ｓ１００１でＮＯと判定した場合、Ｓ１００４に処理を進める。
【００５９】
Ｓ１００２で、ＣＰＵ１１１は、設定変更画面６０４、６０７で設定された原稿検知設定フラグの値を参照し、その値が「ＴＲＵＥ」か否かを判定する。「ＴＲＵＥ」であればＳ１００３に処理を進める。一方、「ＦＡＬＳＥ」であれば、ＣＰＵ１１１は、原稿検知設定フラグの値を維持したままＳ９０１に処理を進める。
【００６０】
Ｓ１００３で、ＣＰＵ１１１は、重送の発生を検知する設定に切り替えて、Ｓ９０１に処理を進める。具体的には、コピー設定画面７０１がパネル４０１に表示されている状態で、積載部２０２上に原稿２０３がユーザによって積載されたことに従って、コピー設定画面７０３をパネル４０１に表示する。コピー設定画面７０３では、重送検知キー７０４に示すように、重送の発生を検知する設定が行われている場合を例示している。ここで、ＣＰＵ１１１は、表示制御手段として機能する。
【００６１】
Ｓ１００４で、ＣＰＵ１１１は、原稿検知センサ１４５で原稿の除去を検知したか否かを判定する。ＣＰＵ１１１は、原稿の除去を検知したと判定した場合（Ｓ１００４でＹＥＳ）、Ｓ１００５に処理を進める。一方、ＣＰＵ１１１は、Ｓ１００４でＮＯと判定した場合、Ｓ９０１に処理を進める。
【００６２】
Ｓ１００５で、ＣＰＵ１１１は、設定変更画面６０４、６０７で設定された原稿検知設定フラグの値を参照し、その値が「ＴＲＵＥ」であるか否かを判定する。「ＴＲＵＥ」であればＳ１００６に処理を進める。一方、「ＦＡＬＳＥ」であれば、ＣＰＵ１１１は、Ｓ９０１に処理を進める。
【００６３】
Ｓ１００６で、ＣＰＵ１１１は、重送の発生を検知しない設定に切り替え、Ｓ９０１に処理を進める。具体的には、コピー設定画面７０３がパネル４０１に表示されている状態で、積載部２０２上から原稿２０３がユーザによって除去されたことに従って、コピー設定画面７０５を表示する。コピー設定画面７０５では、重送検知キー７０６に示すように、重送の発生を検知する設定が行われていない場合を例示している。
【００６４】
図９の説明に戻る。Ｓ９０１で、ＣＰＵ１１１は、コピージョブの実行指示を受け付けたか否かを判定する。ＣＰＵ１１１は、受け付けたと判定した場合（Ｓ９０１でＹＥＳ）、Ｓ９０２に処理を進める。一方、ＣＰＵ１１１は、Ｓ９０１でＮＯと判定した場合、Ｓ１０００に戻る。具体的には、コピー設定画面８０１がパネル４０１に表示されている状態で、スタートキー４１２がユーザによって押下されたことに従って、コピージョブの実行指示が受け付けられる。また、ＣＰＵ１１１は、コピージョブの実行指示が受け付けられた場合に、パネル４０１にコピー設定画面８０３を表示する。
【００６５】
Ｓ９０２で、ＣＰＵ１１１は、原稿２０３の画像の読み取り（スキャン）に係る一連の処理が正常に終了したか否かを表すためのフラグ（以降、スキャン終了フラグと呼ぶ）の値を「ＦＡＬＳＥ」に設定（初期化）する。なお、スキャン終了フラグの値はＲＡＭ１１３に一時的に記憶される。なお、スキャン終了フラグが「ＴＲＵＥ」の場合は、スキャンが正常に終了したことを表す。一方、スキャン終了フラグが「ＦＡＬＳＥ」の場合は、スキャンが正常に終了しなかったことを表す。例えば、スキャンの中止指示を受け付けた場合や、コピージョブの実行がキャンセルされた場合等において、ＣＰＵ１１１は、スキャンが正常に終了しなかったと判断し、スキャン終了フラグの値を「ＦＡＬＳＥ」から「ＴＲＵＥ」へ書き換えなければよい。
【００６６】
ＣＰＵ１１１は、Ｓ９０２の処理を実行した後、Ｓ１１００のスキャン処理に進む。Ｓ１１００では、ＣＰＵ１１１は、スキャンに係る一連の処理を実行する。ここで、スキャンに係る一連の処理（Ｓ１１００）の詳細について、図１１を参照して説明する。
【００６７】
Ｓ１１０１で、ＣＰＵ１１１は、読取部１１８を制御して、積載部２０２上に積載された原稿２０３を搬送させる。Ｓ１１０２で、ＣＰＵ１１１は、読取部１１８を制御して、Ｓ１１０１で搬送された原稿２０３が原稿ガラス２１２上を通過する際に、原稿を読み取ってデータを生成させる。
【００６８】
次に、Ｓ１１０３で、ＣＰＵ１１１は、読取部１１８を制御して、Ｓ１１０２で読み取られたデータを画像処理部１４２で画像データに変換させる。ＣＰＵ１１１は、読取部１１８を制御して、変換された画像データをＲＡＭ１１３に一時的に格納する。Ｓ１１０４で、ＣＰＵ１１１は、重送検知センサ１４９の出力値を取得して、Ｓ１１０１で搬送された原稿の重送が発生したか否かを判定する。重送検知センサ１４９が重送を検知している場合は、Ｓ１１０９に進む。一方、重送を検知していない場合は、Ｓ１１０５に進む。
【００６９】
Ｓ１１０５で、ＣＰＵ１１１は、読取部１１８を制御して、原稿の読み取りが完了したか否かを判定する。具体的には、ＣＰＵ１１１は、搬送センサ１４６により原稿の後端が検知され、読み取り処理及び画像データへの変換処理が完了した場合に、原稿の読み取りが完了したと判断し、Ｓ１１０６に進む。一方、原稿の搬送中や、画像データへの変換処理中であれば、原稿の読み取りが完了していないと判断し、Ｓ１１０２に戻る。
【００７０】
Ｓ１１０６で、ＣＰＵ１１１は、Ｓ１１０３でＲＡＭ１１３に一時的に格納された画像データをストレージ１１４に保存する。Ｓ１１０７で、ＣＰＵ１１１は、原稿給送トイレ上に原稿が載置されているか否かを判定する。具体的には、ＣＰＵ１１１は、読取部１１８を制御して、原稿検知センサ１４５の出力値を取得する。取得した値に基づいて、積載部２０２上に原稿２０３が積載されているか否かを判定する。ＣＰＵ１１１は、積載部２０２上に原稿２０３が載置されていると判定した場合は、Ｓ１１０１に戻り、次の原稿の読み取りを行う。積載部２０２上に原稿２０３が積載されていないと判定した場合は、Ｓ１１０８に進む。Ｓ１１０８で、ＣＰＵ１１１は、ＲＡＭ１１３に記憶されているスキャン終了フラグの値を「ＴＲＵＥ」に書き換え、図９のＳ９０３に処理を進める。
【００７１】
次に、重送が発生した場合の処理（Ｓ１１０４でＹＥＳ）について説明する。Ｓ１１０９で、ＣＰＵ１１１は、重送の発生を検知する設定が行われているか否かを判定する。重送の発生を検知する設定が行われている場合は、Ｓ１１１０に処理を進める。一方、重送の発生を検知しない設定が行われている場合は、Ｓ１１０５に処理を進める。Ｓ１１１０で、ＣＰＵ１１１は、読取部１１８を制御し、スキャンを中断する。ＣＰＵ１１１は、スキャンの中断に伴い、原稿２０３の搬送や、原稿２０３の画像の読み取りを停止させて、Ｓ１１１１に進む。
【００７２】
Ｓ１１１１で、ＣＰＵ１１１は、Ｓ１１０３でＲＡＭ１１３に一時的に格納された画像データを削除して、Ｓ１１１２に進む。Ｓ１１１２で、ＣＰＵ１１１は、ガイド画面８０４をパネル４０１に表示し、Ｓ１１１３に進む。Ｓ１１１３で、ＣＰＵ１１１は、エラーのリカバリが完了したか否かを判定する。具体的には、ＣＰＵ１１１は、読取部１１８を制御して、複数の搬送センサ１４６の出力値を取得する。取得した値に基づいて全ての搬送センサ１４６で原稿を検知していないと判定すると、リカバリが完了したと判定し、Ｓ１１１４に進む。一方、いずれかの搬送センサ１４６で原稿が検知されていると判定すると、Ｓ１１１２に戻る。
【００７３】
Ｓ１１１４で、ＣＰＵ１１１は、再読取待機画面８０６をパネル４０１に表示し、Ｓ１１１５に進む。Ｓ１１１５で、ＣＰＵ１１１は、スキャンの中止指示を受け付けたか否かを判定する。具体的には、中止キー８０８が押下された場合は、Ｓ１１１７に進み、中止キー８０８が押下されない場合は、Ｓ１１１６に進む。
【００７４】
Ｓ１１１７で、ＣＰＵ１１１は、原稿２０３の画像の読み取り（スキャン）を再開するか否かを表すためのフラグ（以降、スキャン再開フラグと称する。）の値を「ＦＡＬＳＥ」に設定し、Ｓ１１１９に進む。なお、スキャン再開フラグは、ＲＡＭ１１３に一時的に格納されるフラグである。
【００７５】
一方、Ｓ１１１６で、ＣＰＵ１１１は、スタートキー４１２が押下された場合は、Ｓ１１１８に進み、スタートキー４１２が押下されない場合は、Ｓ１１１５に戻り、キーの押下を待つ。Ｓ１１１８で、ＣＰＵ１１１は、スキャン再開フラグの値を「ＴＲＵＥ」に設定し、Ｓ１１１９に進む。Ｓ１１１９で、ＣＰＵ１１１は、スキャン再開フラグの値を参照し、「ＦＡＬＳＥ」であれば、図９のＳ９０３に進む。また、この際にＣＰＵ１１１は、再読取待機画面８０６を閉じて、パネル４０１に表示する画面をコピー設定画面８１０に切り替える。
【００７６】
一方、「ＴＲＵＥ」であれば、Ｓ１１０１に戻り、ユーザによって再度載置された原稿２０３の読み取り処理を行う。また、この際にＣＰＵ１１１は、再読取待機画面８０６を閉じて、パネル４０１に表示する画面をコピー実行画面８０９に切り替える。なお、Ｓ１１１９の処理では、スキャンを中止する指示がなされた場合に、スキャン終了フラグを「ＦＡＬＳＥ」に設定したままスキャン処理を終了することになる。
【００７７】
図９の説明に戻る。Ｓ９０３で、ＣＰＵ１１１は、スキャン終了フラグの値を参照し、その値が「ＴＲＵＥ」であるか否かを判定する。「ＴＲＵＥ」であれば、Ｓ９０４の印刷処理に進む。一方、スキャン終了フラグの値が、「ＦＡＬＳＥ」であれば、Ｓ９０４をスキップして、Ｓ９０５に進む。
【００７８】
Ｓ９０４で、ＣＰＵ１１１は、Ｓ１１０６でストレージ１１４に保存された画像データを印刷部１２０に転送する。また、印刷部１２０を制御して、シートに画像を印刷させる。Ｓ１１０６でストレージ１１４に保存された画像の印刷が完了すると、Ｓ９０５に進む。Ｓ９０５で、ＣＰＵ１１１は、Ｓ１１０６でストレージ１１４に保存された画像データを削除して、コピー処理を終了する。また、この際に、ＣＰＵ１１１は、コピー実行画面８０９を閉じて、パネル４０１に表示する画面をコピー設定画面８１０に切り替える。
【００７９】
以上説明したように、本実施形態では、積載部に積載された原稿を検知したことに従って、重送の発生を検知しない設定から重送の発生を検知する設定に切り替えるようにした。したがって、重送の発生を検知するか否かをジョブごとに設定する際の操作性を向上することができる。さらに、本実施形態では、積載部に積載された原稿を検知した場合に重送の発生を検知しない設定から重送の発生を検知する設定に切り替えるか否かを設定可能としたので、原稿の重送を検知した場合に原稿の搬送を継続するユーザの要望を満たすこともできる。
【００８０】
＜変形例＞
本発明は、上記第１の実施形態に限らず様々な変形が可能である。
【００８１】
例えば、上記第１の実施形態では、原稿の重送を検知したことに従って、原稿の搬送を中断する例について説明したが、本発明はこれに限られない。例えば、ＣＰＵ１１１は、原稿の重送を検知しても、原稿の搬送は続け、原稿の読み取りだけを中断するよう制御してもよい。
【００８２】
また、例えば、上記第１の実施形態では、コピー機能における読取制御について説明したが、本発明は、原稿を読み取る他の機能にも適用可能である。具体的には、ＭＦＰ１０１がスキャンした原稿を情報処理装置に送信するファイル送信機能にも適用できる。更に、ＭＦＰ１０１がスキャンした原稿をＭＦＰ１０１内部の保存領域に保存するファイル保存機能やＵＳＢなどの外部バスを介してＭＦＰ１０１に着脱可能な外部メモリに格納するファイル保存機能にも適用できる。
【００８３】
更に、ＰＣ１０２が単機能のスキャナに対してスキャン指示を出し、スキャナに原稿を読み取らせ、スキャンした画像をＰＣ１０２の保存領域に格納する場合にも適用できる。この場合、ＰＣ１０２の制御プログラム（例えばスキャナドライバ）と単機能のスキャナの読取制御プログラムが協働して前述した制御を行うことになる。単機能のスキャナは、図１乃至図３を説明した構成の中でも、原稿の読取やＰＣ１０２とのデータのやりとりに必要な構成を備えているものとする。ただし、原稿を流し読みする搬送経路の形状や外観などは適宜変更されてもよい。このように本発明は、原稿の重送を検知できる画像読取装置や当該画像読取装置を含むシステムに対しても適用することができる。
【００８４】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８５】
１０１：ＭＦＰ、１１１：ＣＰＵ、１１０：制御部、１１８：読取部、１４５：原稿検知センサ、１４９：重送検知センサ
【図１】
0006778998.tif 000002
【図２】
0006778998.tif 000003
【図３】
0006778998.tif 000004
【図４】
0006778998.tif 000005
【図５】
0006778998.tif 000006
【図６】
0006778998.tif 000007
【図７】
0006778998.tif 000008
【図８】
0006778998.tif 000009
【図９】
0006778998.tif 000010
【図１０】
0006778998.tif 000011
【図１１】
0006778998.tif 000012